(57)【要約】【課題】  一本の帯で体の前後に飾りを形作る。【解決手段】  帯を体に巻き付けた後、体の前で、手先が上にくるようにして垂れと十文字に交差する。垂れを主として用いて体の前で第１の帯結びを行う。次に、手先で第１の帯結びの中央部を形作った後、体半周分だけ手先を送り、体の後側で手先のみを用いて第２の帯結びを行う。第２の帯結びの位置は帯締めで固定する。手先を送る分は、帯揚げで覆い隠す。こうすることによって、一本の帯で体の前後に飾りがある華やかな帯結びを実現することができる。【選択図】  図１０
2008045230.tif 000002
【特許請求の範囲】
【請求項１】
着物の帯を結ぶ帯結び方法であって、
（ａ）  １本の帯を体に巻き、体の前後一方で、前記帯の一端を主として用いて第１の帯結びを完成させる工程と、
（ｂ）  体の前後他方で、前記帯の他端を主として用いて第２の帯結びを完成させる工程とを備える帯結び方法。
【請求項２】
請求項１記載の帯結び方法であって、
前記工程（ａ）では、体半周を巻く分より長く前記帯の手先を残しつつ、前記帯の垂れを主として用いて前記第１の帯結びを完成させ、
前記工程（ａ）の後、前記手先が前記他方に来るよう、体のほぼ半周分、前記手先を巻く工程を有し、
前記工程（ｂ）では、前記手先を用いて前記第２の帯結びを完成させる帯結び方法。
【請求項３】
請求項１または２記載の帯結び方法であって、
前記第１の帯結びには、前記帯の手先および垂れの双方を用いる帯結び方法。
【請求項４】
請求項１〜３いずれか記載の帯結び方法であって、
前記工程（ａ）では、前記帯の手先と垂れで結び目を形作ることなく、両者を十字に交差させて前記第１の帯結びを行う帯結び方法。
【請求項５】
請求項１記載の帯結び方法であって、
前記工程（ａ）では、前記帯とは異なる補助紐を体に縛り、前記帯の一端を前記補助紐に留めた上で、該一端のみを主として用いて前記第１の帯結びを完成させ、
前記工程（ｂ）では、前記補助紐に前記帯の他端を留めた上で、該他端のみを主として用いて前記第２の帯結びを完成させる帯結び方法。
【発明の詳細な説明】
【技術分野】
【０００１】
本発明は、着物の帯を結ぶ方法に関する。
【背景技術】
【０００２】
着物の帯結びには、太鼓結び文庫結びなど代表的な種々の結び方が知られており、また多種多様なバリエーションも知られている。一般にこれらの結び方では、体の後、即ち背中側に飾りが作られる（特許文献１参照）。体の前、即ちお腹側では、帯は平坦に巻き付けた状態となっている。
【０００３】
体の前側に飾りを作る結び方としては、俎板帯など、花魁が行う帯結びが知られている。この帯結びでは、体の前側に飾りが作られ、後側では帯は平坦に巻き付けた状態となっている。
【０００４】
【特許文献１】特開２００３−２６８６１６号公報
【発明の開示】
【発明が解決しようとする課題】
【０００５】
上述の通り、従来の帯結びでは、体の前後一方にのみ飾りが来るに過ぎず、華やかさに欠ける部分があった。花嫁衣装では、前から見た状態での華やかさが求められていたが、花魁と同じ結び方は心情的に避けたいことから、この要求に十分に応え得る結び方は存在しなかった。通常は、後に飾りを作る帯結びが採られ、前側は帯留めなど、帯以外の付加的な飾りで華やかさを補うに過ぎなかった。しかし、このような付加的な飾りは、帯結びによって作られる上質かつ造形美を兼ね備えた華やかさには、到底かなうものではない。
【０００６】
より華やかな帯結びに対する要望は、花嫁衣装に限らず、振り袖その他の場合も同様である。本発明は、こうした要望に応えるため、一本の帯で体の前後に飾りを作ることが可能な帯結び方法を提供することを目的とする。
【課題を解決するための手段】
【０００７】
本発明の帯結び方法では、まず、１本の帯を体に巻く。そして、体の前後一方で、帯の一端を主として用いて第１の帯結びを完成させる。第１の帯結びは前で行っても良いし、後で行っても良いが、より華やかな飾りを設けたい側で行うことが好ましい。第１の帯結びは、帯の一端のみを用いても良いし、帯の両端を用いても良い。第１の帯結びが終わった後、または第１の帯結びと並行して、体の前後他方では、帯の他端を主として用いて第２の帯結びを完成させる。このように帯の一端、他端を第１および第２の帯結びに使い分けることにより、一本の帯を用いつつ、体の前後２カ所に飾りを形作ることが可能となる。本発明では、第１および第２の帯結びの方法は問わない。文庫結びその他の周知の結び方を用いればよい。帯の一端、他端の長さは、第１および第２の帯結びの種類、大きさに応じて、適宜、調整すればよい。
【０００８】
帯結びでは、帯の巻き始め側の端を手または手先と呼び、巻き終わり側の端、つまり飾りを主として形作る端を垂れと呼ぶ。以下、本明細書では、この用法に従って、帯の一端、他端を、「垂れ」および「手先」と称することもある。帯は、４ｍ〜４ｍ５０ｃｍほどの長さ、幅３０ｃｍ強の袋帯または丸帯を用いることが好ましいが、これらに限定されるものではない。
【０００９】
本発明は、大きく２通りの態様を採ることができる。第１の態様では、第１の帯結びを行う際には、体半周を巻く分より長く帯の手先を残しつつ、帯の垂れを主として用いる。その後、体のほぼ半周分、手先を巻く。これによって、手先が体の他方に来ることになる。その後、この手先を用いて第２の帯結びを完成させる。第１の態様によれば、第１の帯結びの際に、手先と垂れで結び目を作ったり、交差させたりして、帯を締め上げることができ、しっかりと帯を締めることが可能となる。
【００１０】
第１の態様において、第１の帯結びでは、手先および垂れの双方を用いてもよい。この態様では、第１の帯結びに手先、垂れの双方を用いるため、豪華な飾りを形成しやすくなる。また、垂れのみを用いて第１の帯結びを形作る場合に比べて、手先、垂れの双方を用いる分だけ第１の帯結びに要する垂れの長さを抑えることが可能となる。この結果、手先を長く残すことが可能となり、第２の帯結びでも十分に華やかな飾りを形作ることが可能となる。
【００１１】
第１の態様では、先に説明した通り、帯の手先と垂れで結び目を形成してもよいが、結び目を形作ることなく手先と垂れの両者を十字に交差させるだけに留めても良い。こうすることにより、締め上げる際に、結び目を形作る場合に比べて、手先および垂れの長さを十分に確保しておくことが可能となる。従って、この長さを活用して、華やかな飾りを形作ることができる。
【００１２】
上述の通り、十字に交差させる場合には、手先が上、つまり頭部の方向に来るように交差することが好ましい。こうすることにより、手先をおろして第１の帯結びに利用した後、体の上方にひっぱるようにして体を半周させることができ、第２の帯結びの飾りを腰よりも適度に上側の位置に形作ることが可能となる。
【００１３】
第２の帯結びは体の中心線から左右のいずれかにずれた箇所に形作るようにしてもよい。左側にずらした場合には右側が空き、右側にずらした場合には左側が空くことになる。このように空いた部分に、装飾品を付けることが可能となり、更に華やかさを向上させることができる。
【００１４】
第１の帯結びの後、体を半周させた手先の部分を、帯の上側に寄せ、帯揚げその他の飾り布で覆ってもよい。こうすることで、体側方に帯が何重にも現れ、乱雑な感じが生じるのを回避することができる。体側がスッキリすることにより、体の前後に形作られた飾りを、より華やかに際だたせることが可能となる。飾り布としては、帯揚げ、レース、スカーフ、ハンカチ、ショールなど、帯の美観を害さない模様・色彩で、上述した手先の部分を覆うのに適当な大きさを有する種々の布を用いることができる。
【００１５】
本発明は第２の態様として、帯とは異なる補助紐を用いる方法を採ることもできる。まず、補助紐を体に縛り、帯の一端を補助紐に留めた上で、一端のみを用いて第１の帯結びを行う。次に、補助紐に帯の他端を留めた上で、他端のみを用いて第２の帯結びを完成させる。一端、他端は、更に他の紐を用いて補助紐に留めるようにしてもよいし、帯を補助紐に挟みこむようにしてもよい。第１の態様では、第１の帯結びを終えた後の手先を体半周させたのに対し、第２の態様では、この半周分が不要となるため、第１および第２の帯結びに利用可能な帯の長さを十分に確保することが可能となり、より華やかな飾りを形作ることができる。
【００１６】
上述した第１および第２の態様のいずれを採るかに関わらず、本発明では、帯締めの結び目を第２の帯結びの外側に重ねて形作るようにしてもよい。こうすることで、第２の帯結びの飾りの華やかさを増すことができる。帯締めに代えて、または帯締めと共に、リボン、布・革・金属製などの洋服用ベルト、種々の編紐、革ひもなど比較的伸縮しづらい紐状体を用いても良い。
【発明を実施するための最良の形態】
【００１７】
Ａ．第１実施例：
第１実施例として、本発明の第１の態様に相当する帯結び方法を、体の前側で第１の帯結び、後側で右手側に寄せて第２の帯結びを形作る場合を例にとって説明する。つまり、体の前側で帯の手先、垂れを用いて第１の帯結びを行い、その後、手先を、右手側を通して体の後方に回して、後側で第２の帯結びを行う方法である。
【００１８】
図１は帯を体に巻き付けた状態を示す説明図である。着付け用ボディーに帯を巻き付け、左斜め前から見た状態を示した。矢印で示す通り、手先２０を左手側に残し、時計回り、つまり体の前、右手側に向かう方向に帯１０を巻く。手先２０と逆の端が垂れ３０となる。手先２０の長さＬは、体半周分以上を残しておく。
【００１９】
図２は手先と垂れとを十字に交差させた状態を示す説明図である。図１に続く状態である。矢印で示すように、体に巻き付けた帯の手先２０の裏側に垂れ３０を通すようにして十字に交差させ、手先２０を体の上方（頭部方向）に、垂れ３０を下方（脚方向）に引っ張って帯を締める。本実施例では、両者で結び目は作らず、交差させただけである。結び目を作っても良い。ただし、交差させただけの方が、手先および垂れの長さを確保しておくことができ、華やかな飾りを作ることができる利点がある。
【００２０】
図３は手先２０の固定方法を示す説明図である。本実施例では、先に図２で説明した通り、手先２０と垂れ３０とを交差させただけの状態であり、緩む可能性がある。そこで、図示するように、補助紐４１を体に回して縛ることで、手先２０を固定する。そして、垂れ３０で第１の帯結びを形作る。第１の帯結びは任意の方法を採ることが可能である。図の例では、羽根状の飾りを形作るために、垂れ３０で環を作っているところを示した。
【００２１】
図４は第１の帯結びの固定方法を示す説明図である。図３に示した環で作った羽根３１を、体に巻き付けた補助紐４２で留めてある。垂れ３０は、羽根３１と反対側の羽根となる。
【００２２】
図５は手先２０をおろした状態を示す説明図である。体の右斜め前から見た状態を示した。手先２０の状態がわかりやすいよう、羽根３１を上げた状態で示してある。図示するように、手先２０をおろして、第１の帯結びの中央部２１を形作った後、体の後方に手先２０を送る。本実施例では、図２で示した通り、手先２０が頭部方向に来るよう、垂れ３０と交差させているため、手先２０を上から下におろすだけで中央部２１を無駄なく形作ることができる。
【００２３】
図６および図７は中央部２１の形成過程を示す説明図である。図５に続いて更に中央部２１の形を整える段階を示している。図６に示すように、まず、おろした手先２０で環状に作られた中央部２１の中に、帯枕４３を通す。そして、矢印で示すように、手先２０を帯枕４３に巻き付けるようにして、体の後上方に一旦、引き上げる。次に、図７に示すように、帯枕４３を覆うようにして帯揚げ４４を巻き付ける。また、中央部２１の環の中に帯締め４５を通す。手先２０は、帯１０の上方に寄せながら、体の後側に送る。手先２０を送った部分は、帯揚げ４４で覆い隠すことが好ましいが、この段階では、まだ覆わなくても構わない。
【００２４】
図８は手先２０の送り部２２の状態を示す説明図である。体を右手側から見た状態を示した。この段階では、帯揚げ４４は垂らしてあり、帯締め４５も仮締めした状態である。中央部２１を形作った後の手先２０は、体の後方に送られる。この送り部２２が、帯１０の上方に寄せられることにより、後述する通り、帯揚げ４４で隠すことが可能となる。後方に送られた後の手先２０は、第２の帯結びに利用される。第２の帯結びは、手先２０のみで形作る。結び方は、種々の方法を適用可能である。
【００２５】
図９は第２の帯結びの状態を示す説明図である。図９（ａ）は体の右手側から見た状態を示し、図９（ｂ）は後側から見た状態を示している。送り部２２は、図９（ａ）に示す通り、帯揚げ４４によって覆い隠される。こうすることによって、体側に帯が何重にも現れて乱雑な感じになることを回避でき、スッキリした見栄えを確保することができる。帯締め４５は、任意の箇所で結ぶことが可能であるが、本実施例では、結び目４５ｔを、第２の帯結び２３に重ねて形作った。こうすることにより、第２の帯結び２３を固定するとともに、飾りの華やかさを増すことができる。
【００２６】
図１０および図１１は第１実施例における帯結びの完成状態を示す説明図である。図１０（ａ）には前から見た状態を示した。第１の帯結びによって、羽根状の飾りが形作られている。図１０（ｂ）には後から見た状態を示した。第２の帯結びが形作られている。図９に示した状態に加えて、花の付け飾りを付けた状態を示した。
【００２７】
図１１（ａ）には左手側から見た状態を示し、図１１（ｂ）には右手側から見た状態を示した。第１および第２の帯結びによって前後に飾りが形作られている。本実施例では、図８、９で示した通り、手先２０を帯１０の上方に寄せて体の後に送っている。従って、第２の帯結びを帯１０の上方に形作ることができ、前後の飾りのバランスを比較的容易に保つことが可能となっている。また、図９で説明した通り、送り部２２は帯揚げによって覆われている。従って、体側のスッキリした見栄えを確保することができ、前後の飾りをより際だたせることが可能となる。
【００２８】
以上で示したように、本実施例の帯結びによれば、一本の帯を用いて、体の前後２カ所に飾りを形作ることができる。従って、着物姿の華やかさを高めることができる。第１実施例では、体の前側で第１の帯結び、後側で右手側に寄せて第２の帯結びを形作る場合を例示した。本実施例は、体の後で第１の帯結びを行い、前で第２の帯結びを行う場合にも適用可能である。また、第１実施例では、体の中心線を外して第２の帯結びを行う場合を例示したが、中心で行っても良い。
【００２９】
Ｂ．第２実施例：
第１実施例では、手先と垂れの双方を用いて第１の帯結びを行う場合を例示した。第２実施例では、第１および第２の帯結びに帯の両端を個別に用いる場合を例示する。
【００３０】
図１２は第２実施例の帯結びを示す説明図である。図１２（ａ）に体の後側から見た状態を示し、図１２（ｂ）に前から見た状態を示した。第２実施例では、まず、第１実施例と同じ方向に帯１１０を巻く（図１参照）。ただし、帯１１０の両端で結び目も形作らず、両端を十字に交差させることもしない。図１２（ａ）に示すように、第２実施例では、体に補助紐１４１を縛り付け、体の後側で、これに帯１１０の一端を別の補助紐１４２で固定する。第２実施例では、後側に来る端を手先１２０となっている。また、図１２（ｂ）に示すように、前側でも後側と同様、補助紐１４１に、帯１１０の垂れ１３０を別の補助紐１４３で固定する。補助紐１４２、１４３を用いずに手先１２０、垂れ１３０を補助紐１４１に絡ませるなどの方法で留めても良い。
【００３１】
第２実施例では、このようにして補助紐１４１に手先１２０および垂れ１３０を留めた状態で、後側で手先１２０のみを用いた帯結びを行い、前側では垂れ１３０のみを用いた帯結びを行う。これらの帯結びは種々の方法で行うことができるため、ここでは詳細な説明を省略する。帯結びは、例えば、第１実施例における第２の帯結びと同じ方法としてもよい。第１実施例における第１の帯結びも適用可能である。第１実施例では、飾りを垂れ３０で形作り、中央部２１を手先２０で形作る例を示したが（図６参照）、中央部２１も垂れ３０で形作る方法も周知のため、ここでは説明を省略する。
【００３２】
第２実施例の方法によれば、手先１２０、垂れ１３０の長さをそれぞれ十分に確保することができ、第１および第２の帯結びで華やかな飾りを形作ることが可能となる。第２実施例において、手先１２０、垂れ１３０の長さは、必ずしも同じとする必要はなく、それぞれ帯結びの種類を考慮して、長さを調整すればよい。
【００３３】
以上、本発明の種々の実施例について説明したが、本発明はこれらの実施例に限定されず、その趣旨を逸脱しない範囲で種々の構成を採ることができることはいうまでもない。実施例で示した種々の特徴は、必ずしも全てを備えている必要はなく、その一部を省略したり、適宜、組み合わせて適用したりしてもよい。実施例で示した第１および第２の帯結びは、一例に過ぎず、本発明は、種々の結び方に対して適用することができる。また、本発明は、着物の種類も問わず、花嫁衣装、振り袖その他種々の着物に適用可能である。
【図面の簡単な説明】
【００３４】
【図１】帯を体に巻き付けた状態を示す説明図である。
【図２】手先と垂れとを十字に交差させた状態を示す説明図である。
【図３】手先２０の固定方法を示す説明図である。
【図４】第１の帯結びの固定方法を示す説明図である。
【図５】手先２０をおろした状態を示す説明図である。
【図６】中央部２１の形成過程を示す説明図である。
【図７】中央部２１の形成過程を示す説明図である。
【図８】手先２０の送り部２２の状態を示す説明図である。
【図９】第２の帯結びの状態を示す説明図である。
【図１０】第１実施例における帯結びの完成状態を示す説明図である。
【図１１】第１実施例における帯結びの完成状態を示す説明図である。
【図１２】第２実施例の帯結びを示す説明図である。
【符号の説明】
【００３５】
１０…帯
２０…手先
２１…中央部
２２…送り部
３１…羽根
４１、４２…補助紐
４３…帯枕
４４…帯揚げ
４５…帯締め
４５ｔ…目
１１０…帯
１２０…手先
１４１〜１４３…補助紐
【図１】
2008045230.tif 000003
【図２】
2008045230.tif 000004
【図３】
2008045230.tif 000005
【図４】
2008045230.tif 000006
【図５】
2008045230.tif 000007
【図６】
2008045230.tif 000008
【図７】
2008045230.tif 000009
【図８】
2008045230.tif 000010
【図９】
2008045230.tif 000011
【図１０】
2008045230.tif 000012
【図１１】
2008045230.tif 000013
【図１２】
2008045230.tif 000014